(57)【要約】【課題】本考案は殻付き、殻なしに関わらずブラインシュリンプの孵化が便利に行なえるブラインシュリンプ卵の孵化器を提供することを課題とする。【解決手段】本考案のブラインシュリンプ卵の孵化器３は、本体３１及びベース３３を備えることを特徴とする。本体３１はその底部に近い位置に穴Ｈ１を有する。穴Ｈ１はエアチューブ３２を接続させるためのものである。ベース３３は開口部Ｈ２を有し、本体３１はベース３３の上に設置されて、開口部Ｈ２が穴Ｈ１に対応する。  さらに、本考案のブラインシュリンプ卵の孵化器３は、エアチューブ３２が本体３１底部の穴Ｈ１に接続されることにより、本体３１内の孵化溶液内にエアが送られることと、本体３１底部が円弧型あるいは半球型になっていることにより、ブラインシュリンプ卵が均一に孵化溶液中に分布し、ブラインシュリンプの卵が本体底部に固まって沈殿することで発生する各種問題を回避する。【選択図】図３
0003135528.tif 000002
【実用新案登録請求の範囲】
【請求項１】
底部に隣接する位置にエアチューブに接続される穴を有する本体と、
前記本体をその上に設置するベースとを備え、
前記ベースには、前記本体の前記穴に対応する開口部を備えることを特徴とする
ブラインシュリンプ卵の孵化器。
【請求項２】
前記本体の底部に隣接する位置に突起部分を有し、
前記穴は前記突起部分内に設置され、
前記エアチューブは前記突起部分に接続されることを特徴とする
請求項１に記載のブラインシュリンプ卵の孵化器。
【請求項３】
前記突起部分の周縁に少なくとも１個のフックを有することを特徴とする
請求項２に記載のブラインシュリンプ卵の孵化器。
【請求項４】
前記ベースの前記本体を載せるキャリア部分は、前記本体底部の形状に対応することを特徴とする
請求項１から３のいずれか一に記載のブラインシュリンプ卵の孵化器。
【請求項５】
前記本体底部の形状は、円弧型あるいは半球型であることを特徴とする
請求項４に記載のブラインシュリンプ卵の孵化器。
【請求項６】
前記本体に設置される第一ジョイント部分と、
前記ベースに設置される第二ジョイント部分とを備えることを特徴とする
請求項１から５のいずれか一に記載のブラインシュリンプ卵の孵化器。
【請求項７】
前記第一ジョイント部分は前記本体と一体成型され、
前記第二ジョイント部分は前記ベースと一体成型されることを特徴とする
請求項６に記載のブラインシュリンプ卵の孵化器。
【請求項８】
前記第一ジョイント部分は、かみ合わせ、引っかかり、ねじ状の結合又は、はめ込み式の方式によって、第二ジョイント部分に連結されることを特徴とする
請求項６又は７に記載のブラインシュリンプ卵の孵化器。
【請求項９】
前記本体の内側表面は平らで滑らかな表面であることを特徴とする
請求項１から８のいずれか一に記載のブラインシュリンプ卵の孵化器。
【請求項１０】
前記本体は高い透光性を有することを特徴とする
請求項１から９のいずれか一に記載のブラインシュリンプ卵の孵化器。
【考案の詳細な説明】
【技術分野】
【０００１】
本考案は、孵化器に関し、特にブラインシュリンプ卵の孵化器に関する。
【背景技術】
【０００２】
観賞魚の飼育方法において、稚魚の飼料にはブラインシュリンプ(brine shrimp)の幼生等が多く使用される。  
このため、業者はシュリンプエッグの卵を孵化させるためのブラインシュリンプ孵化器を開発した。
【０００３】
図１を参照しながら説明する。  
従来のブラインシュリンプ卵の孵化器１は、本体１１及びパイプ１２を備える。  
本体１１は、ボトル状の容器で、パイプ１２は本体１１の底部の穴ｈに接続される。  
ブラインシュリンプ卵の孵化器１の使用方法は、まず殻付きのブラインシュリンプ卵及び孵化溶液を本体１１中に入れる。  
ブラインシュリンプの卵が孵化すると、その幼生は比重が大きいため孵化溶液の底部に沈殿し、殻は比重が小さいため孵化溶液の上部に浮いて、ブラインシュリンプの幼生と卵の殻が分離される。  
このため、ブラインシュリンプの幼生は、本体１１底部の穴ｈからパイプ１２を経由して流出し、卵の殻は孵化溶液が交換される際に廃棄される。
【０００４】
また、図２に示したように、他の従来のブラインシュリンプ卵の孵化器２では、エアチューブ２２によってエアを本体２１内に送ることで、殻なしのブラインシュリンプの卵が固まって沈殿するのを回避する。
【考案の開示】
【考案が解決しようとする課題】
【０００５】
しかしながら、従来のブラインシュリンプ卵の孵化器１は、殻付きのブラインシュリンプ卵を幼生と殻に分離させるために設計されたものである。  
もし、殻なしのブラインシュリンプ卵を使用した場合、ブラインシュリンプ卵は殻を除去すると、比重が大きくなる上、幼生と殻との間に静電気が発生して、両者が固まって沈殿を起こしてしまう。  
その結果、一部のブラインシュリンプ卵が酸欠状態となり、孵化率が悪くなる。  
ブラインシュリンプが孵化する時、卵が十分に混ざることが必要であるため、固まって沈殿することは卵の孵化にとってよくない。
【０００６】
また、ブラインシュリンプ卵の孵化器２は、吊るし手２３よって吊るす方式でブラインシュリンプ孵化器２を固定する。  
このため、使用時には吊るすための装置が必要となる。  
しかしながら、ブラインシュリンプ卵の孵化器２を使用する環境において、通常吊るすための装置は備わっていないため、別に設置する必要が生じ使用上不便である。  
また、吊るし手２３の設置は本体２１が揺れる原因となり、溶液が溢れ出して損失が生じることになる。
【０００７】
したがって、本考案は殻付き、殻なしに関わらずブラインシュリンプの孵化が便利に行なえるブラインシュリンプ孵化器を提供することを課題とする。
【課題を解決するための手段】
【０００８】
上述の課題を解決するために、本考案は、殻付き、殻なしに関わらずブラインシュリンプの孵化が便利に行なえるブラインシュリンプ卵の孵化器を提供することを目的とする。
【０００９】
上述の目的を達成するために、本考案のブラインシュリンプ卵の孵化器は、本体及びその本体を上に設置するベースを備えることを特徴とする。  
本体はその底部に近い位置に穴を有する。  
穴はエアチューブを接続させるためのものである。  
ベースは開口部を有し、本体はベースの上に設置されて、開口部が穴に対応する。
【００１０】
上述のように、本考案のブラインシュリンプ卵の孵化器は、エアチューブが本体底部の穴に接続されることにより、本体内の孵化溶液内にエアが送られることと、及び、本体底部が円弧型あるいは半球型になっていることにより、ブラインシュリンプ卵が均一に孵化溶液中に分布し、ブラインシュリンプの卵が本体底部に
固まって沈殿することで発生する各種問題を回避する。  
このため、本考案のブラインシュリンプ卵の孵化器は、殻付きのブラインシュリンプ卵の孵化及び飼育に応用できるだけでなく、殻なしのブラインシュリンプ卵の孵化及び飼育にも応用が可能である。  
また、ベースを組み合わせて本体を固定することで、本体が傾いて溶液が流出することによる損失を回避する。  
さらに、周囲の環境において、吊るす装置の有無を考慮する必要がなく、使用上便利である。  
そして、本体が高い透光性を有することは、観察しやすい上に、光線が充分で孵化率を高めるという効果を有する。
【考案の効果】
【００１１】
本考案のブラインシュリンプ卵の孵化器は、殻付きのブラインシュリンプ卵の孵化及び飼育に応用できるだけでなく、殻なしのブラインシュリンプ卵の孵化及び飼育にも応用が可能である。  
また、ベースを組み合わせて本体を固定することで、本体が傾いて溶液が流出することによる損失を回避する。  
さらに、周囲の環境において、吊るす装置の有無を考慮する必要がなく、使用上便利である。  
そして、本体が高い透光性を有することは、観察しやすい上に、光線が充分で孵化率を高める効果がある。
【考案を実施するための最良の形態】
【００１２】
以下に、図を参照しながら本考案のブラインシュリンプ卵の孵化器について説明する。
【００１３】
図３を参照しながら説明する。  
本考案の好適な実施例におけるブラインシュリンプ卵の孵化器３は、本体３１、エアチューブ３２及びベース３３を備える。
【００１４】
本体３１は、例えばコップ状、筒状あるいはボトル状の容器で、さらに本体３１底部の形状は例えば円弧型あるいは半球型のような弧を描いている。  
そして、本体３１の底部に隣接する位置に穴Ｈ１を有する。
【００１５】
本体３１の底部に隣接する位置に突起部分Ｐを有し、本実施例においては、突起部分Ｐは本体３１の底部に設置されたものを例として説明する。  
穴Ｈ１は突起部分Ｐ内に設置され、突起部分Ｐの周縁には少なくとも１個のフックＰ１を有する。  
本実施例においては、突起部分Ｐの周縁には複数のフックＰ１を有する例で説明する。
【００１６】
エアチューブ３２は穴Ｈ１に接続される。  
本実施例において、エアチューブ３２と突起部分Ｐは連結している。  
さらに、突起部分Ｐ上のフックＰ１があることで、エアチューブ３２を脱落しにくくしている。  
当然、突起部分Ｐの周縁は、例えば、突起部分Ｐの周縁にキメの荒い構造を設置するなどの他の構造によってエアチューブ３２の脱落を回避することも可能である。
【００１７】
本体３１の底部はさらに第一ジョイント部分Ｊ１を有する。  
これは、本体３１と一体成型され、第一ジョイント部分Ｊ１は例えば突起物、引っかかり、あるいは螺旋模様等も可能である。
【００１８】
ベース３３は開口部Ｈ２を有し、本体３１はベース３３上に設置される。  
開口部Ｈ２は穴Ｈ１に対応し、エアチューブ３２は開口部Ｈ２を貫通する。  
また、ベース３３は本体３１を載せるキャリア部分３３１が本体３１底部の形状に対応する。  
つまり、ベース３３のキャリア部分３３１は本体３１底部の形状と実質上同じである。  
ここで言うところの実質上同じであるというのは、材料の違い、製造工程における誤差等の原因によって生じる差異を許容することを指す。
【００１９】
ベース３３は、さらに第二ジョイント部分Ｊ２を有し、これはベース３３と一体成型される。  
さらに、第二ジョイント部分Ｊ２は、第一ジョイント部分Ｊ１に対応するものであって、溝、引っかかり、あるいは螺旋模様である。  
このため、本体３１の第一ジョイント部分Ｊ１は、かみ合わせ、引っかかり、ねじ状の結合又は、はめ込み式等の方式によって、第二ジョイント部分Ｊ２に連結され、本体３１とベース３３を固定させる。  
このうち、ベース３３はフレーム式構造によることも可能である（図示しない）。  
また、ベース３３の周縁には穴Ｈ３を有する。  
エアチューブ３２は穴Ｈ３によって位置が固定され、穴Ｈ３を貫通してエアポンプに接続される（図示しない）。
【００２０】
次に、図４Ａ及び図４Ｂを参照しながら説明する。  
エアチューブ４２と穴Ｈ１'の連結方式は突起部分による方式以外にも、エアチューブ４２の一端に螺旋模様のブロック部分Ｂ１を設置することによっても可能である。  
同様に、穴Ｈ１'もまた螺旋模様が設けられる。  
このため、エアチューブ４２はブロック部分Ｂ１によって穴Ｈ１'とねじ状の結合をして連結される。  
さらに、図５Ａ及び図５Ｂを参照しながら説明する。  
エアチューブ５２の一端に設置したブロック部分Ｂ２は弾力のある材質で製作されることにより、直接穴Ｈ１''に押し込まれて連結され、本体５１内の溶液が漏れ出すのを回避する。
【００２１】
図６を参照しながら説明する。  
エアチューブ３２がエアポンプに接続されることで、エアが本体３１内に送られ、本体３１内の孵化溶液がエアが注入されることで溶液に対流作用を生じさせる。  
したがって、孵化溶液中のブラインシュリンプ卵は孵化溶液に伴って流動して、動き、均一に孵化溶液中に分布することによって、ブラインシュリンプ卵が本体３１の底部に固まって沈殿するのを回避する。  
さらに、ブラインシュリンプ卵が均一に孵化溶液中に分布することにより、ブラインシュリンプ卵が動く際に互いにぶつかって損傷するのを回避する。
【００２２】
また、本体３１内の表面３１１は、滑らかな表面をしているため、ブラインシュリンプ卵が内部表面３１１に粘着するのを回避する。  
ブラインシュリンプ卵は通常充分な光線を得ることで孵化率が高くなる。  
したがって、本体３１は、例えば透明あるいは半透明の透光性の高いものでなければならない。
【００２３】
本考案の利便性を高めるために、本体３１はさらに容量目盛り３１２、注ぎ口３１３及び持ち手３１４を有する。  
容量目盛り３１２があることで注入する溶液の量を正確に測ることが可能である。  
注ぎ口３１３は使用の際に本体３１の溶液を注ぎ出すのに便利である。  
そして、持ち手３１４があることで操作の際に持ちやすく便利である。
【００２４】
上述のように、本考案のブラインシュリンプ卵の孵化器は、エアチューブが本体底部の穴に接続されることにより、本体内の孵化溶液内にエアが送られることと、及び、本体底部が円弧型あるいは半球型になっていることにより、ブラインシュリンプ卵が均一に孵化溶液中に分布し、ブラインシュリンプの卵が本体底部に固まって沈殿することで発生する各種問題を回避する。  
このため、本考案のブラインシュリンプ卵の孵化器は、殻付きのブラインシュリンプ卵の孵化及び飼育に応用できるだけでなく、殻なしのブラインシュリンプ卵の孵化及び飼育にも応用が可能である。  
また、ベースを組み合わせて本体を固定することで、本体が傾いて溶液が流出することによる損失を回避する。  
さらに、周囲の環境において、吊るす装置の有無を考慮する必要がなく、使用上便利である。  
そして、本体が高い透光性を有することは、観察しやすい上に、光線が充分で孵化率を高めることを特徴とする。
【００２５】
以上、本考案の実施例を図面を参照して詳述してきたが、具体的な構成は、これらの実施例に限られるものではなく、本考案の要旨を逸脱しない範囲の設計変更などがあっても、本考案に含まれる。
【図面の簡単な説明】
【００２６】
【図１】従来のブラインシュリンプ卵の孵化器を示した図である。
【図２】他の従来ブラインシュリンプ卵の孵化器を示した図である。
【図３】本考案の好適な実施例のブラインシュリンプ卵の孵化器の分解図である。
【図４Ａ】本考案の好適な実施例におけるブラインシュリンプ卵の孵化器のエアチューブと穴が連結する状態を示した断面図である。
【図４Ｂ】本考案の好適な実施例におけるブラインシュリンプ卵の孵化器のエアチューブと穴が連結する状態を示した断面図である。
【図５Ａ】本考案の好適な実施例におけるブラインシュリンプ卵の孵化器の他のエアチューブと穴が連結する状態を示した断面図である。
【図５Ｂ】本考案の好適な実施例におけるブラインシュリンプ卵の孵化器の他のエアチューブと穴が連結する状態を示した断面図である。
【図６】図３のブラインシュリンプ卵の孵化器の組立図である。
【符号の説明】
【００２７】
１、２、３  ブラインシュリンプ卵の孵化器
１１、２１、３１、５１  本体
１２        パイプ
２２、３２、４２、５２  エアチューブ
２３        吊るし手
３１１      内側表面
３１２      容量目盛り
３１３      注ぎ口
３１４      持ち手
３３        ベース
３３１      キャリア部分
Ｂ１、Ｂ２  ブロック部分
ｈ、Ｈ１、Ｈ１’、Ｈ１’’  穴
Ｈ２        開口部
Ｈ３        穴
Ｊ１        第一ジョイント部分
Ｊ２        第二ジョイント部分
Ｐ          突起部分
Ｐ１        フック
【図１】
0003135528.tif 000003
【図２】
0003135528.tif 000004
【図３】
0003135528.tif 000005
【図４Ａ】
0003135528.tif 000006
【図４Ｂ】
0003135528.tif 000007
【図５Ａ】
0003135528.tif 000008
【図５Ｂ】
0003135528.tif 000009
【図６】
0003135528.tif 000010